(57)【特許請求の範囲】
【請求項１】
１枚の板紙からなるブランク１で構成されたディスク収納ケースであって、前記ブランク１は少なくとも、ほぼ矩形状のベース部１２と、該ベース部１２の片側に下側面１８をはさんで配置されたディスク収納部１１と、反対側に上側面１９をはさんで配置されたカバー部１３と、前記ディスク収納部１１をはさむ関係に配置された折り返し部１４、１６と、前記ベース１２をはさむ関係に配置された折り返し部１５、１７と、前記下側面１８をはさむ関係に配置された折り返し部２０、２１とを有しており、
前記折り返し部１４、１６は、前記ディスク収納部１１の上に折り重ねられると共に前記ベース部１２の近傍部分が前記ディスク収納部１１に貼り付けられて、ディスク収納部１１との間にディスク収納用のポケットを形成しており、前記折り返し部１５、１７は、前記ベース部１２の上に折り重ねられ、前記折り返し部２０、２１は、前記下側面１８の上に折り重ねられ、前記ディスク収納部１１及びカバー部１３は、前記ベース部１２の上に折り重ねることが可能に構成されているディスク収納ケースにおいて、
前記ディスク収納部１１、前記ベース部１２の上側の折れ線を折れ線ａとし、前記ディスク収納部１１、前記ベース部１２の下側の折れ線を折れ線ｂとし、前記下側面１８の両側の折れ線を折れ線ｃ、ｃ´とし、前記上側面１９の両側の折れ線を折れ線ｄ、ｄ´とし、前記折り返し部１４、１５において、前記折れ線ａと前記折れ線ｃ、ｃ´とが交わる二つの交点Ｃ、Ｄから斜め４５度の角度で外側に折れ線ｅを前記折り返し部１４に、折れ線ｅ´を前記折り返し部１５に設け、該折れ線ｅ、ｅ´の終点Ｅ、Ｆを結んで切れ線ｇを設け、前記折れ線ｅ、ｅ´と前記切れ線ｇで囲まれた部分を、外側に起こすことによって、角補強部５を形成し、前記折り返し部１６、１７において、前記折れ線ｂと前記折れ線ｃ、ｃ´とが交わる二つの交点Ｇ、Ｈに関しても同様にして、交点Ｅ、Ｆから斜め４５度の角度で外側に折れ線ｆを前記折り返し部１６に、折れ線ｆ´を前記折り返し部１７に設け、その折れ線ｆ、ｆ´の終点Ｇ、Ｈを結んで切れ線ｈを設け、前記折れ線ｆ、ｆ´と前記切れ線ｈで囲まれた部分を、外側に起こすことによって、角補強部５を形成していることを特徴とするディスク収納ケース。
【発明の詳細な説明】
【０００１】
【産業上の利用分野】
本発明は、コンパクトディスク等のディスク状記録媒体（以下ディスクと略称する）を収容するためのディスク収納ケースに関する。
【０００２】
【従来の技術】
従来、ディスクを収納するケースは、プラスチックの成型によって作られた薄い箱状の収納部材と、その一端に回動可能に取り付けられた蓋とを備えており、且つ前記収納部材には、ディスクを収容する円形の凹部と、その中央に形成されディスク中央孔に嵌合させるためのロック等を備えている。しかし、かかる従来のディスク収納ケースは、プラスチックの成型品であるため、コストがかかるという問題があった。また、印刷を施すことが困難であるので、宣伝、説明等のためには印刷した紙を中に入れることが必要であり、この点からもコスト高となっていた。更に、廃棄する際焼却が困難であるので、環境問題を生じるという問題もあった。これらの問題を解決するために、材料としてプラスチックを使用せずに、紙を使用した形態のディスク収納ケースも種々開示されている。本出願人も特開平７−２０６０７１号公報において、１枚の板紙からなるブランクで構成されたディスク収納ケースを開示している。
【０００３】
【発明が解決しようとする課題】
しかしながら、紙を使用した形態のディスク収納ケースは、ディスクを収納した状態で断面における角の部分が歪みやすく、潰れた形状になりやすく、販売店での店頭での整列に支障をきたすという問題がある。
【０００４】
本発明はかかる問題点に鑑みてなされたもので、紙を使用することにより、コストダウンを図ると共に、印刷を可能とし、容易に焼却廃棄することの可能とし、かつ、ディスクを収納した状態で断面における角の部分が歪みのない矩形を保持することができるディスク収納ケースを提供することを目的とする。
【０００５】
【課題を解決するための手段】
上記課題を解決すべくなされた本発明は、１枚の板紙からなるブランク１で構成されたディスク収納ケースであって、前記ブランク１は少なくとも、ほぼ矩形状のベース部１２と、該ベース部１２の片側に下側面１８をはさんで配置されたディスク収納部１１と、反対側に上側面１９をはさんで配置されたカバー部１３と、前記ディスク収納部１１をはさむ関係に配置された折り返し部１４、１６と、前記ベース１２をはさむ関係に配置された折り返し部１５、１７と、前記下側面１８をはさむ関係に配置された折り返し部２０、２１とを有しており、前記折り返し部１４、１６は、前記ディスク収納部１１の上に折り重ねられると共に前記ベース部１２の近傍部分が前記ディスク収納部１１に貼り付けられて、ディスク収納部１１との間にディスク収納用のポケットを形成しており、前記折り返し部１５、１７は、前記ベース部１２の上に折り重ねられ、前記折り返し部２０、２１は、前記下側面１８の上に折り重ねられ、前記ディスク収納部１１及びカバー部１３は、前記ベース部１２の上に折り重ねることが可能に構成されているディスク収納ケースにおいて、前記ディスク収納部１１、前記ベース部１２の上側の折れ線を折れ線ａとし、前記ディスク収納部１１、前記ベース部１２の下側の折れ線を折れ線ｂとし、前記下側面１８の両側の折れ線を折れ線ｃ、ｃ´とし、前記上側面１９の両側の折れ線を折れ線ｄ、ｄ´とし、前記折り返し部１４、１５において、前記折れ線ａと前記折れ線ｃ、ｃ´とが交わる二つの交点Ｃ、Ｄから斜め４５度の角度で外側に折れ線ｅを前記折り返し部１４に、折れ線ｅ´を前記折り返し部１５に設け、該折れ線ｅ、ｅ´の終点Ｅ、Ｆを結んで切れ線ｇを設け、前記折れ線ｅ、ｅ´と前記切れ線ｇで囲まれた部分を、外側に起こすことによって、角補強部５を形成し、前記折り返し部１６、１７において、前記折れ線ｂと前記折れ線ｃ、ｃ´とが交わる二つの交点Ｇ、Ｈに関しても同様にして、交点Ｅ、Ｆから斜め４５度の角度で外側に折れ線ｆを前記折り返し部１６に、折れ線ｆ´を前記折り返し部１７に設け、その折れ線ｆ、ｆ´の終点Ｇ、Ｈを結んで切れ線ｈを設け、前記折れ線ｆ、ｆ´と前記切れ線ｈで囲まれた部分を、外側に起こすことによって、角補強部５を形成していることを特徴とするディスク収納ケースを要旨とする。
【０００６】
本発明によれば、上記構成のディスク収納ケースは、１枚の平坦な紙製のブランクから作られており、そのブランクに設けている折り返し部をディスク収納部の上に折り重ね、その一部を貼り付けるという簡単な作業によって製造可能であり、安価に製造できる。また、ブランクが紙製であるので、印刷が容易であり且つ焼却処理することができる。更に、使用に当たっては、ディスク収納部にディスクを収納した後、そのディスク収納部をベースの上に折り重ね、更にその上にカバー部を折り重ねることで、偏平な形状に折り畳むことができ、断面において歪みのない矩形を保持することができる。
【０００７】
【発明の実施の形態】
以下、図面において本発明の実施の形態を説明する。
【０００８】
図１は本発明のディスク収納ケースにおける第一の実施の形態の一実施例のブランクを展開して示す概略平面図であり、図２はそのブランクをサック貼りした状態を示す概略平面図である。本実施例のディスク収納ケースＡは、図１に示す形状の１枚の板紙からなるブランク１Ａで構成される。
ここでブランク１Ａに使用される板紙は、後述するようにディスクを収容する状態に組み立てた時に、ディスクを保護しうるよう適度な剛性を備えたものであり、好ましくは厚みが０．２〜１．０ｍｍ程度、更に好ましくは０．３〜０．５ｍｍ程度のものが使用される。また、好適な板紙の主な種類としては、マニラボール（アイボリー、カード紙等）や白ボール等の白板紙、或いは、コートボール等を挙げることができる。
【０００９】
図１に図示しているように、ブランク１Ａには、折り曲げを容易とするように筋押し等の折れ線ａ、ｂ、ｃ、ｃ´、ｄ、ｄ´が形成されている。折れ線ａ、ｂは横方向に延び、折れ線ｃ、ｃ´、ｄ、ｄ´は縦方向に延びており、ブランク１Ａを１１〜２１の１１の部分に分けている。中央の部分１２は矩形状のベース部、その右側の部分１１はディスク収納部、左側の部分１３はカバー部であり、これらの部分１１、１３はそれぞれ折れ線ｃ、ｃ´、ｄ、ｄ´に沿って折り曲げた時に中央のベース部１２のほぼ全域の上に重なるような寸法となっている。また、折れ線ｃ、ｃ´の間の面は下側面１８、および折れ線ｄ、ｄ´の間の面は上側面１９となっており、その下側面１８に折り返して重なる部分が折り返し部２０、２１である。
【００１０】
ディスク収納部１１には端部に大きい凹部２が形成されている。この凹部２はディスク３の出し入れを容易とするために形成したものである。なお、このブランク１Ａには、必要に応じ、絵柄、写真、説明文、宣伝文等が印刷されている。
【００１１】
上側の折れ線ａより上の部分１４、１５、２０、及び、下側の折れ線ｂより下の部分１６、１７、２１は共に折り返し部であり、図２に示すように折れ線ａ、ｂによって中央のベース部１２、ディスク収納部１１、下側面１８の上下に折り返すためのものである。
【００１２】
ここで、中央の折り返し部１５、１７は、折り返した時に折れ線ｃ´の近傍のみで端縁が突き合わせ状態となるが、その他の部分では大きく離れ、ベース部１２と折り返し部１５、１７との間に形成される収納ポケットに歌詞カード等の収納物の出し入れを容易に行うことができるように寸法が定められている。歌詞カード等の収納ポケットを形成しない場合には、その端縁が互いにほぼ突き合わせ状態となるように寸法が定めることができる。
【００１３】
一方、ディスク収納部１１の上に折り返される折り返し部１４、１６は、折れ線ｃの近傍のみで端縁が突き合わせ状態となるが、その他の部分では大きく離れ、ディスク３の出し入れを容易に行うことができるように寸法が定められている。また、この折り返し部１４、１６の折れ線ｃ近傍の縁部４は、収納すべきディスク３の外周にほぼ等しい曲率の円弧状となっており、その縁部４の上にディスク３を良好に乗せることができるようになっている。カバー部１３は、折れ線ｄ、ｄ´によりベース部１２、ディスク収納部１１に重なる寸法となっている。
【００１４】
また、上側の折り返し部１４、１５において、折れ線ａと折れ線ｃ、ｃ´とが交わる二つの交点Ｃ、Ｄから斜め４５度の角度で外側に折れ線ｅを折り返し部１４に、折れ線ｅ´を折り返し部１５に設け、その折れ線ｅ、ｅ´の終点Ｅ、Ｆを結んで切れ線ｇを設けている。この部分を、図３に示すように、外側に起こすことによって、角補強部５が形成される。この切れ線ｇの部分は、図１に示すように、一辺を切れ線ｇとした矩形の角補強部用孔６としてもよい。
【００１５】
また、下側の折り返し部１６、１７においても、折れ線ｂと折れ線ｃ、ｃ´とが交わる二つの交点Ｇ、Ｈに関しても同様にして、交点Ｅ、Ｆから斜め４５度の角度で外側に折れ線ｆを折り返し部１４に、折れ線ｆ´を折り返し部５に設け、その折れ線ｆ、ｆ´の終点Ｇ、Ｈを結んで切れ線ｈを設けている。この部分を外側に起こすことによって、角補強部５が形成される。この切れ線ｈの部分は、図１に示すように、一辺を切れ線ｈとした矩形の角補強部用孔６としてもよい。
【００１６】
上下の折り返し部２０、２１の下側面１８の上に相当する部分には矩形状の折り曲げ用孔７、７を形成することができる。この折り曲げ用孔７、７は図２に示す状態に組み立てたディスク収納ケースＡのディスク収納部を、折れ線ｃ、ｃ´に沿って折り曲げる時に内側となる折り返し部１４、１６等が良好に折り曲げられるように設けるものである。
【００１７】
次に、このディスク収納ケースＡの製造、組み立て方法及び使用方法を説明する。厚板を図１に示す形状に打ち抜き、且つ所定の折れ線ａ〜ｆを形成してブランク１Ａを製造する。
【００１８】
次に、そのブランク１Ａの上下の折り返し部１４、１５、２０、１６、１７、２１を、図２に示すように折り返し、且つ破線によるハッチングで示す領域８をその下のベース部１２及びディスク収納部１１に適当な手段、例えば糊を用いて貼り付ける。これにより、ディスク収納部１１とその上の折り返し部１４、１６とはベース部１２の近傍のみが接着され、両者の間にディスク３を収納するポケットが形成される。なお、折り返し部１４、１６の円弧状の縁部４の中央部分はディスク収納部１１に貼り付けられているので、ディスク収納部１１とその上の折り返し部１４、１６との間に形成されたポケットにディスク３を差し込んだ時、そのディスク３は縁部４に突き当たってそれ以上奥に入ることはなく、ディスク３の収納位置が安定する。
【００１９】
また、ベース部１２とその上に折り返される折り返し部１５、１７との間にも、歌詞カード等を収容するポケットが形成される。なお、ベース部１２の上に折り重ねられた折り返し部１５、１７はベース部１２を補強する作用を有している。
【００２０】
ブランク１Ａの上下の折り返し部１４、１５、２０、１６、１７、２１の折り返し作業及び領域８の貼り付け作業等は、従来行われているサック貼りの技術を用いることにより、容易に実施可能である。
【００２１】
次に、ブランク１Ａを図２に示す状態に組み立てた後、そのディスク収納部１１の上に形成したポケットにディスク３を収納し、ベース部１２の上のポケットに歌詞カード等を収納した後、次いで、折れ線ｅ、ｅ´、折れ線ｆ、ｆ´を外側に折り曲げ、図３に示すように、角補強部５、５を引き起こす。そして、図４に示すように、そのディスク収納部１１を折れ線ｃ、ｃ´のところからベース部１２の上に折り重ねる。そして、そのカバー部１３を折れ線ｄ、ｄ´のところから先に折り重ねたディスク収納部１１の上に折り重ねる。かくして、ディスク収納ケースＡは図５に示す状態となり、ディスク収納部１１に保持されたディスク３はその両面をベース部１２とカバー部１３とではさまれ、保護される。この折り畳まれた状態のディスク収納ケースＡは、角補強部５、５により、断面の形状が歪まない矩形が保持されている。また、使用する時に、カバー部１３をベース部１２に固定できるように、ベース部１２にカバー部１３のコーナー部分を差し込めるように差し込み口を設けることもできる。その後、このディスク収納ケースＡをシュリンク包装し、流通させることができる。
【００２２】
このディスク収納ケースＡを入手した者は、シュリンク包装を破り、カバー部３、ディスク収納部１１等を起こして、内部に収納しているディスク３や歌詞カード等を取り出して使用し、使用後は、再びそのディスク３や歌詞カード等を所定の場所に戻し、図５に示す状態に折り畳んで、適当な場所に保管する。さらに、必要に応じて、この収納ケースＡを入れる外箱を用いることも可能である。
【００２３】
図６は本発明の他の実施例によるディスク収納ケースを構成する板紙からなるブランクを展開して示す概略平面図、図７はそのブランクをサック貼りした状態を示す概略平面図、図８、図９はそれぞれディスク収納ケースＢの異なる状態を示す概略平面図であり、図１〜図５に示すディスク収納ケース１Ａと同一又は同様な部分には同一符号を付けて示している。
【００２４】
この実施例のディスク収納ケースＢも、先の実施例と同様な特性の１枚の板紙からなるブランク１Ｂで構成されるが、その形状は若干異なっている。すなわち、図６に示すブランク１Ｂは、折れ線ａ、ｂは横方向に延び、折れ線ｃ、ｃ´、ｄ、ｄ´は縦方向に延びており、ブランク１Ｂを１１〜２５の１５の部分に分けている。
【００２５】
中央の部分１２は矩形状のベース部、その右側の部分１１はディスク収納部、左側の部分１３はカバー部であり、これらの部分１１、１３はそれぞれ折れ線ｃ、ｃ´、ｄ、ｄ´に沿って折り曲げた時に中央のベース部１２のほぼ全域の上に重なるような寸法となっている。また、折れ線ｃ、ｃ´の間の面は下側面１８、および折れ線ｄ、ｄ´の間の面は上側面１９となっており、その下側面１８に折り返して重なる部分が折り返し部２０、２１であり、その上側面１９に折り返して重なる部分が折り返し部２４、２５である。
【００２６】
上側の折り返し部分１４、１５、２０、２２、２４、及び、下側の折り返し部分１６、１７、２１、２３、２５は、図７に示すように折れ線ａ、ｂによって中央のベース部１２、ディスク収納部１１、下側面１８、上側面１９の上に折り返される。ここで、折り返し部１５、１７は、ベース部１２の上に折り返すためのものであり、折り返した時にその端縁が互いにほぼ突き合わせ状態となるように寸法が定められている。
【００２７】
ベース部１２の左側に設けているカバー部１３の上に折り返される折り返し部２２、２３は、折れ線ｄ´の近傍のみで端縁が突き合わせ状態となるが、その他の部分では大きく離れ、カバー部１２と折り返し部２２、２３との間に形成される収納ポケットに歌詞カード等の収納物の出し入れを容易に行うことができる寸法が定められている。
【００２８】
ディスク収納部１１には、ブランク１と同様に、端部に大きい凹部２が形成されている。この凹部２はディスク３の出し入れを容易とするために形成したものである。なお、このブランク１Ｂには、必要に応じ、絵柄、写真、説明文、宣伝文等が印刷されている。
【００２９】
また、ディスク収納ケースＡと同様に、組み立てたディスク収納ケースＢの下側面１８に折り重ねた折り返し部の両端に角補強部５、５を設けている。上側の折り返し部１４、１５において、折れ線ａと折れ線ｃ、ｃ´とが交わる二つの交点Ｃ、Ｄから斜め４５度の角度で外側に折れ線ｅを折り返し部１４に、折れ線ｅ´を折り返し部１５に設け、その折れ線ｅ、ｅ´の終点Ｅ、Ｆを結んで切れ線ｇを設けている。この部分を、図３に示すように、外側に起こすことによって、角補強部５が形成される。
【００３０】
そして、下側の折り返し部１６、１７においても、折れ線ｂと折れ線ｃ、ｃ´とが交わる二つの交点Ｇ、Ｈに関しても同様にして、交点Ｅ、Ｆから斜め４５度の角度で外側に折れ線ｆを折り返し部１４に、折れ線ｆ´を折り返し部５に設け、その折れ線ｆ、ｆ´の終点Ｉ、Ｊを結んで切れ線ｈを設けている。この部分を外側に起こすことによって、角補強部５が形成される。
【００３１】
さらに、ディスク収納ケースＢでは、組み立てたディスク収納ケースＢの下側面１８に折り重ねた折り返し部の両端に角補強部５、５に加えて上側面１９に折り重ねた折り返し部の両端に角補強部５´、５´を設けている。
折り返し部１５、２２において、折れ線ａと折れ線ｄ、ｄ´とが交わる二つの交点Ｋ、Ｌから斜め４５度の角度で外側に折れ線ｉを折り返し部１５に、折れ線ｉ´を折り返し部２２に設け、その折れ線ｉ、ｉ´の終点Ｍ、Ｎを結んで切れ線ｋを設けている。この部分を、図３に示すように、外側に起こすことによって、角補強部５´が形成される。
【００３２】
そして、下側の折り返し部１７、２３においても、折れ線ｂと折れ線ｄ、ｄ´とが交わる二つの交点Ｏ、Ｐに関しても同様にして、交点Ｍ、Ｎから斜め４５度の角度で外側に折れ線ｊを折り返し部１７に、折れ線ｊ´を折り返し部２３に設け、その折れ線ｊ、ｊ´の終点Ｑ、Ｒを結んで切れ線ｌを設けている。この部分を外側に起こすことによって、角補強部５´が形成される。
【００３３】
次に、このディスク収納ケースＢの製造、組み立て方法及び使用方法を説明する。厚板を図６に示す形状に打ち抜き、且つ所定の折れ線ａ〜ｊを形成してブランク１Ｂを製造する。
【００３４】
次に、そのブランク１Ｂの上下の折り返し部１４、１５、２０、２２、２４、１６、１７、２１、２３、２５を、図７に示すように折り返し、且つ破線によるハッチングで示す領域８をその下のベース部１２及びディスク収納部１１に適当な手段、例えば糊を用いて貼り付ける。これにより、ディスク収納部１１とその上の折り返し部１４、１６とはベース部１２の近傍のみが接着され、両者の間にディスク３を収納するポケットが形成される。なお、折り返し部１４、１６の円弧状の縁部４の中央部分はディスク収納部１１に貼り付けられているので、ディスク収納部１１とその上の折り返し部１４、１６との間に形成されたポケットにディスク３を差し込んだ時、そのディスク３は縁部４に突き当たってそれ以上奥に入ることはなく、ディスク３の収納位置が安定する。
【００３５】
また、カバー部１３とその上に折り返される折り返し部２２、２３との間にも、歌詞カード等を収容するポケットが形成される。なお、ベース部１２の上に折り重ねられた折り返し部１５、１７はベース部１２を補強する作用を有している。もし、ベース部１２のみで十分な強度を有している場合には、この部分の上に重ねる折り返し部１５、１７を省略することも可能である。ただし、この折り返し部１５、１７を省略した場合には、カバー部１３の上に折り返される折り返し部２４、２５のベース部１２近傍の部分をカバー部１２に貼り付ける必要がある。
【００３６】
次に、ディスク収納部１１にディスク３を収納させた後、図８に示すように、そのディスク収納部１１を折れ線ｃ、ｃ´のところからベース部１２の上に折り重ね、次いでカバー部１３を折れ線ｄ、ｄ´のところから先に折り重ねたディスク収納部１１の上に折り重ねる。かくして、ディスク収納ケース１Ｂは図９に示す状態に組み立てられる。また、使用する時に、カバー部１３をベース部１２に固定できるように、ベース部１２にカバー部１３のコーナー部分を差し込めるように差し込み口を設けることもできる。その後、このディスク収納ケースＢはそのままで、或いは必要に応じシュリンク包装されて、流通される。さらに、必要に応じて、この収納ケースＢを入れる外箱を用いることも可能である。
【００３７】
【発明の効果】
以上に説明したように、本発明のディスク収納ケースは、１枚の平坦な紙製のブランクから作られており、そのブランクに設けている折り返し部をディスク収納部の上に折り重ね、その一部を貼り付けるという簡単な作業によって製造可能であり、安価に製造できる。
また、折り畳んだ状態において、断面の形状が、潰れて歪むことのない矩形を保持することができ、販売店において、プラスチック製のケースと同等に陳列できるという効果がある。
さらに、ブランクが紙製であるので、印刷が容易であり且つ焼却処理することができ、従来のプラスチックの場合のように環境問題を引き起こすことがない等の効果を有している。
【図面の簡単な説明】
【図１】本発明の一実施例によるディスク収納ケースを構成するブランクを示す概略平面図である。
【図２】図１のブランクをサック貼りした状態を示す概略平面図である。
【図３】上記のディスク収納ケースにおける角補強部の組み立て状態を示す斜視図である。
【図４】上記のディスク収納ケースを異なる状態で示す概略平面図である。
【図５】上記のディスク収納ケースを更に異なる状態で示す概略平面図である。
【図６】本発明の他の実施例によるディスク収納ケースを構成するブランクを示す概略平面図である。
【図７】図６のブランクをサック貼りした状態を示す概略平面図である。
【図８】上記のディスク収納ケースを異なる状態で示す概略平面図である。
【図９】上記のディスク収納ケースを更に異なる状態で示す概略平面図である。
【符号の説明】
Ａ  ディスク収納ケース
Ｂ  ディスク収納ケース
１Ａブランク（ディスク収納ケースＡ）
１Ｂブランク（ディスク収納ケースＢ）
２  凹部
３  ディスク
４  縁部
５  角補強部
６  角補強部用孔
７  折り曲げ用孔
８  貼り付けた領域
１１  ディスク収納部
１２  ベース部
１３  カバー部
１４、１５、２０、２２、２４  折り返し部
１６、１７、２１、２３、２５  折り返し部
１８  下側面
１９  上側面
Ｃ〜Ｒ  折れ線の始点あるいは終点
ａ、ｂ、ｃ、ｃ´、ｄ、ｄ´                折れ線
ｅ、ｅ´、ｆ、ｆ´、ｉ、ｉ´、ｊ、ｊ´    折れ線
ｇ、ｈ  切れ線
【図１】
0004011800.tif 000002
【図２】
0004011800.tif 000003
【図３】
0004011800.tif 000004
【図４】
0004011800.tif 000005
【図５】
0004011800.tif 000006
【図６】
0004011800.tif 000007
【図７】
0004011800.tif 000008
【図８】
0004011800.tif 000009
【図９】
0004011800.tif 000010